(57)【要約】【課題】ユーザーの要求に応じた判定基準による部品の交換を可能にすることである。【解決手段】交換可能な交換部品または該交換部品を含むユニットの使用履歴に対応する使用履歴情報を取得するＲＦＩＤ制御部２１０と、前記交換部品または該交換部品を含むユニットが交換対象となる状態にあるか否かを判定する使用履歴情報の閾値を複数記憶する不揮発メモリ１５０と、前記閾値を選択するＬＣＤ６１と、報知を行うＬＣＤ６１と、前記取得された使用履歴情報とＬＣＤ６１により選択された閾値に基づき、前記交換部品または該交換部品を含むユニットが交換対象となる状態にあるか否かを判定し、交換対象となる交換部品または該交換部品を含むユニットがあると判定した場合に、交換の対象となる交換部品または該交換部品を含むユニットを前記ＬＣＤ６１に報知させる制御部１１０とを備える。【選択図】図２
2009169003.tif 000002
【特許請求の範囲】
【請求項１】
交換可能な交換部品または該交換部品を含むユニットの使用履歴に対応する使用履歴情報を取得する取得部と、
前記交換部品または該交換部品を含むユニットが交換対象となる状態にあるか否かを判定する使用履歴情報の閾値を複数記憶する記憶部と、
前記記憶された複数のうちから選択される閾値の操作入力を受付ける操作部と、
報知を行う報知部と、
前記取得された使用履歴情報と、前記操作部により選択された閾値と、に基づき、前記交換部品または該交換部品を含むユニットが交換対象となる状態にあるか否かを判定し、交換対象となる交換部品または該交換部品を含むユニットがあると判定した場合に、交換の対象となる交換部品または該交換部品を含むユニットを前記報知部に報知させる制御部と、
を備える、画像形成装置。
【請求項２】
前記制御部は、交換対象となる交換部品または該交換部品を含むユニットがあると判定した場合に、前記取得部により取得された使用履歴情報と、前記操作部により選択された閾値と一定値以内の値と、に基づき、交換が近い交換部品または交換部品を含むユニットがあるか否かを判定し、交換が近い交換部品または該交換部品を含むユニットがあると判定した場合に、当該交換が近い交換部品または該交換部品を含むユニットを前記報知部に報知させる請求項１に記載の画像形成装置。
【請求項３】
前記記憶部は、ユーザーレベルと、ユーザーＩＤと、交換が許可された前記交換部品または該交換部品を含むユニットの識別情報と、を対応付けて記憶し、
前記操作部は、ユーザーＩＤの操作入力を受け付け、
前記制御部は、交換対象となる交換部品または該交換部品を含むユニットがあると判定した場合に、前記操作部より操作入力されるユーザーＩＤに基づいて認証を行い、当該認証されたユーザーＩＤに対応する前記記憶されたユーザーレベルを読出し、当該ユーザーレベルに対応する前記記憶された交換が許可された交換部品または該交換部品を含むユニットの識別情報を読出し、前記判定された交換対象となる前記交換部品または該交換部品を含むユニットのうち、読み出した前記識別情報に対応する前記交換部品または該交換部品を含むユニットを前記報知部に報知させる請求項１に記載の画像形成装置。
【請求項４】
前記閾値は、画質、耐久性及びコストの少なくとも一つから設定されている請求項１〜３のいずれか一項に記載の画像形成装置。
【請求項５】
少なくとも１台の画像形成装置と外部装置とを通信接続した画像形成管理システムにおいて、
交換可能な交換部品または該交換部品を含むユニットの使用履歴に対応する使用履歴情報を取得する取得部と、
前記交換部品または該交換部品を含むユニットが交換対象となる状態にあるか否かを判定する使用履歴情報の閾値を複数記憶する記憶部と、
前記記憶された複数のうちから選択される閾値の操作入力を受付ける操作部と、
報知を行う報知部と、
前記取得された使用履歴情報と、前記操作部により選択された閾値と、に基づき、前記交換部品または該交換部品を含むユニットが交換対象となる状態にあるか否かを判定し、交換対象となる交換部品または該交換部品を含むユニットがあると判定した場合に、交換の対象となる交換部品または該交換部品を含むユニットを前記報知部に報知させる制御部と、
を備える、画像形成管理システム。
【請求項６】
前記制御部は、交換対象となる交換部品または該交換部品を含むユニットがあると判定した場合に、前記取得部により取得された使用履歴情報と、前記操作部により選択された閾値と一定値以内の値と、に基づき、交換が近い交換部品または交換部品を含むユニットがあるか否かを判定し、交換が近い交換部品または該交換部品を含むユニットがあると判定した場合に、当該交換が近い交換部品または該交換部品を含むユニットを前記報知部に報知させる請求項５に記載の画像形成管理システム。
【請求項７】
前記記憶部は、ユーザーレベルと、ユーザーＩＤと、交換が許可された前記交換部品または該交換部品を含むユニットの識別情報と、を対応付けて記憶し、
前記操作部は、ユーザーＩＤの操作入力を受け付け、
前記制御部は、交換対象となる交換部品または該交換部品を含むユニットがあると判定した場合に、前記操作部より操作入力されるユーザーＩＤに基づいて認証を行い、当該認証されたユーザーＩＤに対応する前記記憶されたユーザーレベルを読出し、当該ユーザーレベルに対応する前記記憶された交換が許可された交換部品または該交換部品を含むユニットの識別情報を読出し、前記判定された交換対象となる前記交換部品または該交換部品を含むユニットのうち、読み出した前記識別情報に対応する前記交換部品または該交換部品を含むユニットを前記報知部に報知させる請求項５に記載の画像形成管理システム。
【請求項８】
前記閾値は、画質、耐久性及びコストの少なくとも一つから設定されている請求項５〜７のいずれか一項に記載の画像形成管理システム。  
【請求項９】
前記報知部が前記画像形成装置及び前記外部装置の少なくとも１つに設置されている、請求項５〜８のいずれか一項に記載の画像形成管理システム。
【発明の詳細な説明】
【技術分野】
【０００１】
本発明は、画像形成装置及び画像形成管理システムに関する。
【背景技術】
【０００２】
従来、画像形成装置（複写機、ファクシミリ、プリンタ、スキャナ及びそれらの多機能複合機を含む）は、電気部品（帯電極、中間転写ベルト、感光体ドラム、定着ベルト、クリーニングブレードなど）、その使用に伴って徐々に消耗する現像剤などの交換部品を含んで構成されている。画像形成装置の使用に際しては、画像形成装置がこれらの部品の使用状況を把握し、交換時期を予測して報知し、ユーザー等が適宜部品の補充、交換を行っている。
【０００３】
例えば、部品の交換時期において、使用回数または算出された一定期間後の使用回数の予測値と寿命設定値の比較により、予測値≧寿命設定値に至った場合もしくは使用回数≧（寿命設定値―１０００）の状態に至った場合、ユーザーに寿命アラームを警告する画像形成装置が開示されている（特許文献１参照）。
【０００４】
また、ジャム発生頻度、画像レジストレーションなどを判断する精度が異なる複数のタイプの契約サービスを用意するメンテナンスシステムも開示されている（特許文献２参照）。あらかじめ各顧客の画像形成装置購入時、又はリース開始時に各サービスに対応するトラブル発生精度の判断基準を各画像形成装置、またはそれに接続されるメンテナンスサーバに設定する。そして、各画像形成装置での状態値と前記判断基準とをそれぞれ比較する事により、部品交換の時期を把握し、メンテナンスを行っている。
【特許文献１】特開平７−１０４６１６号公報
【特許文献２】特開２００７−１３３３０７号公報
【発明の開示】
【発明が解決しようとする課題】
【０００５】
しかしながら、特許文献１の発明では、予測値の変更は可能だが、あくまで部品交換の事前準備期間の調整を目的とするものであり、例えば画質性能など、ユーザーが要求する機械に対して求めるスペックに対応した部品交換をすることができなかった。また、ユーザーによる予測値の変更ができなかった。特許文献２の発明では、部品交換の判断基準はトラブル発生精度によるものであり、また固定値である為、変更ができなかった。というのは、例えば高画質を要求するユーザーにとってはメーカー基準のタイミングでは部品交換時期が遅く、また各ユーザーが部品交換時期を任意に決定する事ができなかった為、各ユーザーの要求に対応するタイミングでの部品交換ができなかった。
【０００６】
本発明は、ユーザーの要求に応じた判定基準による交換部品の交換が可能な、画像形成装置を提供する事を目的とする。
【課題を解決するための手段】
【０００７】
請求項１に記載の発明は、交換可能な交換部品または該交換部品を含むユニットの使用履歴に対応する使用履歴情報を取得する取得部と、前記交換部品または該交換部品を含むユニットが交換対象となる状態にあるか否かを判定する使用履歴情報の閾値を複数記憶する記憶部と、前記記憶された複数のうちから選択される閾値の操作入力を受付ける操作部と、報知を行う報知部と、前記取得された使用履歴情報と、前記操作部により選択された閾値と、に基づき、前記交換部品または該交換部品を含むユニットが交換対象となる状態にあるか否かを判定し、交換対象となる交換部品または該交換部品を含むユニットがあると判定した場合に、交換の対象となる交換部品または該交換部品を含むユニットを前記報知部に報知させる制御部と、を備える、画像形成装置。
【０００８】
請求項２に記載の発明は、請求項１に記載の画像形成装置において、前記制御部は、交換対象となる交換部品または該交換部品を含むユニットがあると判定した場合に、前記取得部により取得された使用履歴情報と、前記操作部により選択された閾値と一定値以内の値と、に基づき、交換が近い交換部品または交換部品を含むユニットがあるか否かを判定し、交換が近い交換部品または該交換部品を含むユニットがあると判定した場合に、当該交換が近い交換部品または該交換部品を含むユニットを前記報知部に報知させる。
【０００９】
請求項３に記載の発明は、請求項１に記載の画像形成装置において、前記記憶部は、ユーザーレベルと、ユーザーＩＤと、交換が許可された前記交換部品または該交換部品を含むユニットの識別情報と、を対応付けて記憶し、前記操作部は、ユーザーＩＤの操作入力を受け付け、前記制御部は、交換対象となる交換部品または該交換部品を含むユニットがあると判定した場合に、前記操作部より操作入力されるユーザーＩＤに基づいて認証を行い、当該認証されたユーザーＩＤに対応する前記記憶されたユーザーレベルを読出し、当該ユーザーレベルに対応する前記記憶された交換が許可された交換部品または該交換部品を含むユニットの識別情報を読出し、前記判定された交換対象となる前記交換部品または該交換部品を含むユニットのうち、読み出した前記識別情報に対応する前記交換部品または該交換部品を含むユニットを前記報知部に報知させる。
【００１０】
請求項４に記載の発明は、請求項１〜３のいずれか一項に記載の画像形成装置において、前記閾値は、画質、耐久性及びコストの少なくとも一つから設定されている。
【００１１】
請求項５に記載の発明は、少なくとも１台の画像形成装置と外部装置とを通信接続した画像形成管理システムにおいて、交換可能な交換部品または該交換部品を含むユニットの使用履歴に対応する使用履歴情報を取得する取得部と、前記交換部品または該交換部品を含むユニットが交換対象となる状態にあるか否かを判定する使用履歴情報の閾値を複数記憶する記憶部と、前記記憶された複数のうちから選択される閾値の操作入力を受付ける操作部と、報知を行う報知部と、前記取得された使用履歴情報と、前記操作部により選択された閾値と、に基づき、前記交換部品または該交換部品を含むユニットが交換対象となる状態にあるか否かを判定し、交換対象となる交換部品または該交換部品を含むユニットがあると判定した場合に、交換の対象となる交換部品または該交換部品を含むユニットを前記報知部に報知させる制御部と、を備える、画像形成管理システム。
【００１２】
請求項６に記載の発明は、請求項５に記載の少なくとも１台の画像形成装置と外部装置とを通信接続した画像形成管理システムにおいて、前記制御部は、交換対象となる交換部品または該交換部品を含むユニットがあると判定した場合に、前記取得部により取得された使用履歴情報と、前記操作部により選択された閾値と一定値以内の値と、に基づき、交換が近い交換部品または交換部品を含むユニットがあるか否かを判定し、交換が近い交換部品または該交換部品を含むユニットがあると判定した場合に、当該交換が近い交換部品または該交換部品を含むユニットを前記報知部に報知させる。
【００１３】
請求項７に記載の発明は、請求項５に記載の少なくとも１台の画像形成装置と外部装置とを通信接続した画像形成管理システムにおいて、前記記憶部は、ユーザーレベルと、ユーザーＩＤと、交換が許可された前記交換部品または該交換部品を含むユニットの識別情報と、を対応付けて記憶し、前記操作部は、ユーザーＩＤの操作入力を受け付け、前記制御部は、交換対象となる交換部品または該交換部品を含むユニットがあると判定した場合に、前記操作部より操作入力されるユーザーＩＤに基づいて認証を行い、当該認証されたユーザーＩＤに対応する前記記憶されたユーザーレベルを読出し、当該ユーザーレベルに対応する前記記憶された交換が許可された交換部品または該交換部品を含むユニットの識別情報を読出し、前記判定された交換対象となる前記交換部品または該交換部品を含むユニットのうち、読み出した前記識別情報に対応する前記交換部品または該交換部品を含むユニットを前記報知部に報知させる。
【００１４】
請求項８に記載の発明は、請求項５〜７のいずれか一項に記載の画像形成管理システムにおいて、前記閾値は、画質、耐久性及びコストの少なくとも一つから設定されている。      
【００１５】
請求項９に記載の発明は、請求項５〜８のいずれか一項に記載の画像形成管理システムにおいて、前記報知部が前記画像形成装置及び前記外部装置の少なくとも１つに設置されている。
【発明の効果】
【００１６】
請求項１記載の発明によれば、ユーザーの要求に応じた判定基準による交換部品の交換が可能となる。
【００１７】
請求項２記載の発明によれば、ユーザーの要求に応じた判定基準による部品の交換が可能となる。また、メンテナンスに近い交換部品または該交換部品を含むユニットの交換が可能となる。
【００１８】
請求項３記載の発明によれば、ユーザーの要求に応じた判定基準による交換部品の交換が可能となる。また、ユーザーレベルごとに交換が許可された交換対象となる交換部品の交換を促すことが可能となる。
【００１９】
請求項４記載の発明によれば、ユーザーの要求に応じた判定基準による交換部品の交換が可能となる。また、画質、耐久性、コストの観点から見たメンテナンスの判定基準をユーザーが任意に設定できる。
【００２０】
請求項５記載の発明によれば、ユーザーの要求に応じた判定基準による交換部品の交換が可能となる。
【００２１】
請求項６記載の発明によれば、ユーザーの要求に応じた判定基準による交換部品の交換が可能となる。また、メンテナンスに近い交換部品または該交換部品を含むユニットの交換が可能となる。
【００２２】
請求項７記載の発明によれば、ユーザーの要求に応じた判定基準による交換部品の交換が可能となる。また、ユーザーレベルごとに交換が許可された交換対象となる交換部品の交換を促すことが可能となる。
【００２３】
請求項８記載の発明によれば、ユーザーの要求に応じた判定基準による交換部品の交換が可能となる。また、画質、耐久性、コストの観点から見たメンテナンスの判定基準をユーザーが任意に設定できる。
【００２４】
請求項９記載の発明によれば、ユーザーの要求に応じた判定基準による交換部品の交換が可能となる。
【発明を実施するための最良の形態】
【００２５】
以下、図を参照して本発明に係る実施の形態について説明する。但し、この発明は以下の実施の形態に限定しない。また、本実施の形態は発明の最も好ましい形態を表すものであり、発明の用途や用語はこれに限定するものではない。
【００２６】
本実施の形態では、画像形成装置としてカラー複写機１を用いる場合について説明するが、これに限定されるものではなく、プリンタなどの少なくともカラーまたは白黒の画像形成機能を有する装置であればよい。
【００２７】
初めに、図１〜２を参照して、カラー複写機１の装置構成について説明する。まず、図１を参照して、カラー複写機１の全体構成について説明する。図１に、カラー複写機１の全体構成を示す。図１に示すように、カラー複写機１は、画像形成部１０、ＡＤＦ（Auto Document Feeder）２２、スキャナ部２７、転写部２０、定着装置３０、給紙搬送部４０を備えて構成されている。
【００２８】
画像形成部１０は、複数組の画像形成部１０Ｙ、１０Ｍ、１０Ｃ、１０Ｋを備えて構成される。イエロー（Ｙ）色の画像を形成する画像形成部１０Ｙは、露光ユニット１Ｙ、像形成体としての感光体ドラム２Ｙ、現像装置３Ｙ、像形成体クリーニング部４Ｙ、帯電極５Ｙ等を備える。露光ユニット１Ｙは、帯電極５Ｙにより帯電された感光体ドラム２Ｙ上に、光ビーム（レーザビーム）を走査する。露光ユニット１Ｙから投射されたレーザ光により、感光体ドラム２Ｙの表面上には静電潜像が形成される。現像装置３Ｙは、感光体ドラム２Ｙ上に形成された静電潜像を、Ｙ色のトナーにより現像する。像形成体クリーニング部４Ｙは、感光体ドラム２Ｙの周面上に残った転写残トナーをクリーニングする。
【００２９】
マゼンダ（Ｍ）色の画像を形成する画像形成部１０Ｍは、露光ユニット１Ｍ、感光体ドラム２Ｍ、現像装置３Ｍ、像形成体クリーニング部４Ｍ、帯電極５Ｍ等を備える。シアン（Ｃ）色の画像を形成する画像形成部１０Ｃは、露光ユニット１Ｃ、感光体ドラム２Ｃ、現像装置３Ｃ、像形成体クリーニング部４Ｃ、帯電極５Ｃ等を備える。黒（Ｋ）色の画像を形成する画像形成部１０Ｋは、露光ユニット１Ｋ、感光体ドラム２Ｋ、現像装置３Ｋ、像形成体クリーニング部４Ｋ、帯電極５Ｋ等を備える。これら画像形成部１０Ｍ、１０Ｃ、１０Ｋも、画像形成部１０Ｙと同様の工程で画像形成を行う。
【００３０】
スキャナ部２７はＣＣＤ（Charge-Coupled Devices）２３を備えて構成される。ＡＤＦ２２は、原稿台に載置された原稿ｇを搬送する。スキャナ部２７はＡＤＦ２２により搬送された原稿ｇを読み取り、ＣＣＤ２３で光電変換して画像データを取得する。また、スキャナ部２７により読み取られた画像データは、各種画像処理が施された後、画像形成用データとして画像形成部１０に出力される。
【００３１】
転写部２０は、中間転写ベルト２０Ｂ、１次転写ローラ２０Ｙ、２０Ｍ、２０Ｃ、２０Ｋ、２次転写ローラ２０Ｓ等を備えて構成される。中間転写ベルト２０Ｂが回動すると、画像形成部１０Ｙ、１０Ｍ、１０Ｃ、１０Ｋで形成された各画像が１次転写ローラ２０Ｙ、２０Ｍ、２０Ｃ、２０Ｋにより、回動する中間転写ベルト２０Ｂ上に逐次転写（１次転写）され、各色を合成させたカラー画像（カラートナー画像）が形成される。記録紙Ｐが２次転写ローラ２０Ｓに搬送されると、転写部２０は、２次転写ローラ２０Ｓにより、中間転写ベルト２０Ｂ上に形成されたカラートナー画像を、記録紙Ｐ上の一方の面（表面）に一括して転写（２次転写）する。
【００３２】
定着装置３０は定着ベルト３０Ａ等を備える。定着装置３０はカラートナー画像が転写された記録紙Ｐに熱定着処理を実行し、カラートナー画像を記録紙Ｐに定着する。
【００３３】
給紙搬送部４０は、循環通紙路４０Ａ、反転搬送路４０Ｂ、再給紙搬送部４０Ｃを備えて構成される。裏面画像形成時、定着装置３０から排出された記録紙Ｐは循環通紙路４０Ａを通過し、反転搬送路４０Ｂに到達すると、反転搬送路４０Ｂの回転ローラの回転方向が逆にされ、記録紙Ｐは再給紙搬送部４０Ｃに搬送される。記録紙Ｐが再給紙搬送部４０Ｃを通過する時点で、定着処理済みの面（表面）は上側になる。再給紙搬送部４０Ｃを通過した記録紙Ｐは、給紙ローラ５０により表裏が反転されて、再度、２次転写ローラ２０Ｓに搬送され、記録紙Ｐの他方の面（裏面）にカラー画像が一括転写されることになる。
【００３４】
また、本実施形態では電子写真方式の画像形成を行うこととしたが、画像形成方式はこれに限定されるものではなく、インクジェット方式、熱転写方式、ドットインパクト方式などであってもよい。
【００３５】
次に、図２に示すブロック図を参照してカラー複写機１の制御構成を含む回路構成について説明する。図２に、カラー複写機１の要部構成のブロック図を示す。
【００３６】
図２に示すように、カラー複写機１は、スキャナ部２７、ＡＤＦ２２、操作表示部６０、プリンタ部７０、ＲＦＩＤ制御部２１０、後処理ユニット９０、プリントコントローラ部８０、本体制御部１００により構成されている。
【００３７】
スキャナ部２７は、ＣＣＤ２３と、画像読取制御部２４とを備えて構成される。制御部１１０からの指示に従い、ＡＤＦ制御部２１はＡＤＦ２２を駆動させ、画像読取制御部２４はスキャナ部２７を制御して、ＡＤＦ２２により原稿面の光走査を実行させ、読み取られたアナログ画像信号を本体制御部１００の読取処理部１６０に出力する。
【００３８】
操作表示部６０は、報知部としてのＬＣＤ（Liquid Crystal Display）６１と一体型に構成されるタッチパネルと、図示しない各種機能キーと、操作部制御部６２とから構成される。操作部制御部６２は、各種機能キー又はタッチパネルにより操作入力された操作信号を制御部１１０に出力する。また、操作部制御部６２は、制御部１１０からの指示に従って、各種操作画面、各種処理結果等をＬＣＤ６１に表示させる。
【００３９】
プリンタ部７０は、画像形成部１０と、プリンタ制御部７１と、画像形成の際に必要な図示しない各種部品を備えて構成される。プリンタ制御部７１は、制御部１１０からの指示に従って画像形成部１０を制御し、画像形成の際には、書込処理部２００から入力された画像データに基づいて画像形成部１０に画像形成を行わせる。
【００４０】
また、画像形成部１０内には、取得部としてのタグ１１〜１６が各交換部品に貼付等されることにより備えられている。タグ１１〜１６は無線ＩＣタグであり、個々の交換部品を特定する識別記号と、その交換部品の使用回数（＝プリント枚数）を記憶するＩＣチップ及び、無線通信を行う為のコイルを有し、ＩＣチップ内に記憶されているデータをＲＦＩＤアンテナ部３１１〜３１６に送受信する。なお、タグのＩＣチップに記憶されるプリント枚数は画像形成部１０のプリント動作に応じて更新（インクリメント）されるものとする。
【００４１】
また、本実施の形態では、タグ１１〜１６が、帯電極５Ｙと、中間転写ベルト２０Ｂと、感光体ドラム２Ｙと、定着ベルト３０Ａと、特に図示しない現像装置３Ｙにおける現像剤と、像形成体クリーニング部４Ｙにおけるクリーニングブレードと、にそれぞれ順に対応して設置されているものとし、図示及び動作説明を行う。実際には、同様に帯電極５Ｙ、５Ｍ、５Ｃ、５Ｋ、感光体ドラム２Ｙ、２Ｍ、２Ｃ、２Ｋ、現像装置３Ｙ、３Ｍ、３Ｃ、３Ｋにおける現像剤、像形成体クリーニング部４Ｙ、４Ｍ、４Ｃ、４Ｋにおけるクリーニングブレードにもタグが設置され、それらのタグに対応してＲＦＩＤアンテナ部及びアンテナ駆動回路が設けられているものとするが、同様の動作の為、図示及び動作説明を省略する。
【００４２】
なお、部品交換の対象となる現像装置３Ｙ、３Ｍ、３Ｃ、３Ｋにおける現像剤とは、２成分方式の静電記録方式における現像剤のことであり、トナーとは別のものである。
【００４３】
ＲＦＩＤ制御部２１０は、サブ制御部２１７と、アンテナ駆動回路２１１〜２１６とを備えて構成される。サブ制御部２１７は、制御部１１０の指示に従ってアンテナ駆動回路２１１〜２１６を制御し、ＲＦＩＤアンテナ部３１１〜３１６を介してタグ１１〜１６とデータを送受信する。
【００４４】
後処理ユニット９０は、図示しない各種後処理部と、後処理装置制御部９１とを備えて構成される。後処理装置制御部９１は、制御部１１０の指示に従って、プリンタ部７０から出力された画像形成済の記録紙Ｐに各種後処理を施すように各種後処理部を制御する。
【００４５】
プリントコントローラ部８０は、本体制御部１００のＤＲＡＭ制御ＩＣ１８０とＰＣＩバスで接続されており、ＬＡＮ（Local Area Network）等の通信回線上の、ユーザー端末としてのＰＣ（Personal Computer）などの外部装置８５から入力される画像データ等の出力データを、ジョブとして本体制御部１００へ配信する機能を実現する。
【００４６】
本体制御部１００は、制御部１１０、プログラムメモリ１３０、システムメモリ（ＲＡＭ）１４０、記憶部としての不揮発メモリ１５０、読取処理部１６０、圧縮・伸長ＩＣ１７０、ＤＲＡＭ（Dynamic Random Access Memory）制御ＩＣ１８０、圧縮メモリ１９１及びページメモリ１９２からなる画像メモリ（ＤＲＡＭ）１９０、書込処理部２００を備えて構成されている。
【００４７】
制御部１１０は、ＣＰＵで構成され、カラー複写機１の各部を集中制御する。プログラムメモリ１３０に記憶されているシステムプログラム及び各種アプリケーションプログラムの中から指定されたプログラムを読み出してシステムメモリ１４０に適宜展開し、展開されたプログラムとの協働で、各種処理を実行する。これにより、制御部１１０に接続された画像読取制御部２４、ＡＤＦ制御部２１、操作部制御部６２、プリンタ制御部７１、サブ制御部２１７、及び後処理装置制御部９１の各部を集中制御するようになっている。
【００４８】
プログラムメモリ１３０は、ＲＯＭ（Read Only Memory）などの不揮発性メモリなどによって構成され、カラー複写機１において実行する各種処理プログラムが記憶されている。プログラムメモリ１３０には、後述する交換タイミングテーブル記憶処理における交換タイミングテーブル記憶プログラム、部品交換確認処理における部品交換確認プログラムが記憶されている。
【００４９】
システムメモリ１４０は、プログラムメモリ１３０から読み出されたプログラム、これらプログラムに係るデータ、ジョブデータ又はパラメータなどの情報を一時的に格納するメモリであり、各種プログラム及びデータを展開するためのワークエリアとして機能する。
【００５０】
不揮発メモリ１５０としては、フラッシュメモリ等が用いられる。
【００５１】
読取処理部１６０は、スキャナ部２７のＣＣＤ２３から入力されるアナログ画像信号に、アナログ処理、Ａ／Ｄ変換処理、シェーディング処理等の各種処理を施してデジタル画像データを生成する。生成されたデジタル画像データは、ＤＲＡＭ制御ＩＣ１８０を介し圧縮・伸長ＩＣ１７０に出力される。
【００５２】
圧縮・伸長ＩＣ１７０は、ＤＲＡＭ制御ＩＣ１８０の制御下において読取処理部１６０又はプリントコントローラ部８０から入力されたデジタル画像データに圧縮処理を施す。また、入力される圧縮画像データに対しては伸長処理を施す。
【００５３】
ＤＲＡＭ制御ＩＣ１８０は、制御部１１０からの指示に従って、圧縮・伸長ＩＣ１７０によるデジタル画像データの圧縮処理及び圧縮画像データの伸長処理を制御するとともに、画像メモリ１９０への画像データの入出力制御を行う。例えば、スキャナ部２７により読み取られ、読取処理部１６０によりＡ／Ｄ変換されたデジタル画像データの保存が制御部１１０より指示されると、ＤＲＡＭ制御ＩＣは１８０デジタル画像データの圧縮処理を圧縮・伸長ＩＣ１７０により実行させて、圧縮画像データを画像メモリ１９０の圧縮メモリ１９１に格納させる。また、制御部１１０より圧縮メモリ１９１に格納された圧縮画像データのプリント出力が指示されると、ＤＲＡＭ制御ＩＣ１８０は圧縮メモリ１９１から圧縮画像データを読み出し、圧縮・伸長ＩＣ１７０により伸長処理を施してページメモリ１９２に格納させる。さらに、制御部１１０よりページメモリ１９２に格納された非圧縮画像データのプリント出力が指示されると、ＤＲＡＭ制御ＩＣ１８０はページメモリ１９２から非圧縮画像データを読み出して、書込処理部２００に出力する。
【００５４】
画像メモリ１９０は、ＤＲＡＭ等の圧縮メモリ１９１と、ページメモリ１９２とを備えて構成される。圧縮メモリ１９１は、圧縮画像データを格納するためのメモリである。ページメモリ１９２は、プリント出力前にプリント出力対象の非圧縮画像データを一時的に格納するためのメモリである。
【００５５】
書込処理部２００は、ＤＲＡＭ制御ＩＣ１８０から入力された非圧縮画像データに基づいて、画像形成のためのプリントデータを生成し、プリンタ部７０（画像形成部１０）に出力する。
【００５６】
次に、本実施の形態の動作を説明する。動作説明の前提として、以下のフローチャートに記述されている各処理を実現する為のプログラムは、コンピュータが読み取り可能なプログラムコードの形態でプログラムメモリ１３０に格納されており、制御部１１０は当該プログラムコードに従った動作を逐次実行する。また、制御部１１０は、伝送媒体を介して外部から供給されるプログラム及びデータを利用して、本実施の形態特有の動作を逐次実行する事も可能である。
【００５７】
（交換タイミングテーブル記憶処理）
まず、交換タイミングテーブル記憶処理について説明する。説明の前提として、図４にモード選択画面５３を示す。ＬＣＤ６１に表示されるモード選択画面５３において、ユーザーによる各モードの選択の操作入力が行われる。なお、モード選択画面５３に示す高画質維持モード、標準モード、ロングライフモードは、図３におけるユーザー設定１、２、３と、交換タイミングテーブル１、２、３と、にそれぞれ順に対応している。高画質維持モードでは交換部品のタイミングが短く設定されており、画質劣化の判定基準を高くして高画質を維持する事ができる。ロングライフモードでは交換部品のタイミングが長く設定されており、画質劣化の判定基準を低くして部品の交換サイクルを長くする事ができる。標準モードでは交換部品のタイミングがメーカー基準値に設定されている。
【００５８】
ここで、図５に、交換タイミングテーブルに対応した部品の交換タイミングのデータ格納例である、部品交換タイミングテーブル５１を示す。図３においての交換タイミングテーブル１、２、３は、部品交換タイミングテーブル５１においての交換タイミングテーブル１、２、３にそれぞれ順に対応している。なお、部品交換タイミングテーブル５１は不揮発メモリ１５０に記憶されている。ここで、交換対象部品である現像剤と、帯電極と、中間転写ベルトと、感光体と、定着ベルトと、クリーニングブレードと、は、図１における特に図示しない現像装置３Ｙにおける現像剤と、帯電極５Ｙと、中間転写ベルト２０Ｂと、感光体ドラム２Ｙと、定着ベルト３０Ａと、特に図示しない像形成体クリーニング部４Ｙにおけるクリーニングブレードと、にそれぞれ順に対応しており、図２におけるタグ１１〜１６も、上記交換対象部品にそれぞれ順に設置されているものとする。
【００５９】
部品交換タイミングテーブル５１における各部品の交換タイミングの詳細について説明する。例えば、現像剤の交換タイミングのメーカー基準値がｘ枚であったとすると、交換タイミングテーブル１（高画質維持モード）が選択されている場合は（０．７×ｘ）枚、交換タイミングテーブル２（標準モード）が選択されている場合はｘ枚、交換タイミングテーブル３（ロングライフモード）が選択されている場合は（１．１×ｘ）枚プリントされた時点が、現像剤の交換タイミングとなる。なお、基準値ｘは、予め不揮発メモリ１５０に記憶されているものとする。
【００６０】
以下、図３のフローチャートを参照して、交換タイミングテーブル記憶処理について説明する。交換タイミングテーブル記憶処理は、ユーザーにより各モードの選択操作が行われた事をトリガとして、プログラムメモリ１３０から読み出されてシステムメモリ１４０に適宜展開された交換タイミングテーブル記憶プログラムと制御部１１０との協働により、実行される。
【００６１】
まず、ユーザーにより操作表示部６０におけるＬＣＤ６１に表示されたモード選択画面５３にタッチ入力された情報に基づいて、各モードが設定される（ステップＳ３００）。その後、ステップＳ３００のモード選択入力において、ユーザー設定１（高画質維持モード）が選択されているか否かが判定される（ステップＳ３０１）。選択されている場合（ステップＳ３０１；ＹＥＳ）、交換タイミングテーブル１が選択された後、不揮発メモリ１５０に記憶され（ステップＳ３０２）、交換タイミングテーブル記憶処理が終了する。選択されていない場合（ステップＳ３０１；ＮＯ）、ユーザー設定２（標準モード）が選択されているか否かが判定される（ステップＳ３０３）。ユーザー設定２が選択されている場合（ステップＳ３０３；ＹＥＳ）、交換タイミングテーブル２が選択された後、不揮発メモリ１５０に記憶され（ステップＳ３０４）、交換タイミングテーブル記憶処理が終了する。選択されていない場合（ステップＳ３０３；ＮＯ）、ユーザー設定３が確定し（ステップＳ３０５）、交換タイミングテーブル３が選択された後、不揮発メモリ１５０に記憶され（ステップＳ３０６）、交換タイミングテーブル記憶処理が終了する。
【００６２】
（部品交換確認処理）
次に、図６のフローチャートを参照し、部品交換確認処理について説明する。部品交換確認処理は、画像形成部１０等によりプリントが行われた事をトリガとして、プログラムメモリ１３０から読み出されてシステムメモリ１４０に適宜展開された部品交換確認プログラムと制御部１１０との協働により、実行される。部品交換確認プログラムは、常時周期的に実行されてもよい。
【００６３】
まず、画像形成部１０等によりプリントが行われると、部品交換タイミングテーブル５１における各交換部品に設置されたタグに記憶されている現在の各交換部品の使用回数（プリント枚数）が取得される。次に、部品交換タイミングテーブル５１と、予め不揮発メモリ１５０に記憶されている各部品の交換タイミングを示す使用回数のメーカー基準値であるｘと、を基に、各部品の交換タイミングを示す使用回数の閾値が算出される。その後、各交換部品の使用回数（プリント枚数）と、各部品の交換タイミングを示す使用回数の閾値と、が比較され、交換タイミング到達部品があるか否かが判定される（ステップＳ６０１）。交換タイミング到達部品がない場合（ステップＳ６０１；ＮＯ）、部品交換確認処理が終了する。交換タイミング到達部品がある場合（ステップＳ６０１；ＹＥＳ）、ＬＣＤ６１に交換を促すメッセージが表示され（ステップＳ６０２）、部品交換確認処理が終了する。交換タイミング到達部品がある場合、ユーザーは、ステップＳ６０２でＬＣＤ６１に表示された交換タイミング到達部品を交換する。
【００６４】
以上、本実施の形態によれば、交換タイミングテーブル記憶処理、部品交換確認処理においては、予めユーザーによって選択されたモードに対応した交換タイミングテーブルが不揮発メモリ１５０に記憶され、プリントが行われるごとに、記憶されている交換タイミングテーブルに対して交換タイミング到達部品があるか否かが判定され、交換タイミング到達部品がある場合は、ＬＣＤ６１に交換を促すメッセージが表示される。この為、各ユーザーの要求するタイミングに応じたメンテナンスが実現でき、ユーザーの要求に応じた判定基準による部品の交換が可能となる。
【００６５】
（第１の変形例）
次に、上記実施の形態の変形例について説明する。変形例として、直近交換部品検索処理について説明する。説明の前提として、図７に記載される直近交換部品検索機能とは、まだ交換タイミングに到達していないが交換タイミングが近い部品（直近交換部品）があるか否かを検索する機能である。また、図７においての直近範囲とは、あとどれくらいで交換部品が交換タイミングに到達するかを示す値であり、交換タイミング到達までの残りプリント枚数により決定される。直近交換部品検索機能を有効にするか否かのパラメータの指定と、直近範囲のパラメータの指定は、予め図示しない設定画面がＬＣＤ６１に表示され、ユーザーが操作入力することにより行われているものとする。装置構成は、上記実施の形態と同様に、カラー複写機１で説明する。但し、部品交換確認プログラムにかえて直近交換部品検索プログラムがプログラムメモリ１３０に記憶されているものとする。
【００６６】
以下、図７のフローチャートを参照し、直近交換部品検索処理について説明する。直近交換部品検索処理は、画像形成部１０等によりプリントが行われた事をトリガとして、プログラムメモリ１３０から読み出されてシステムメモリ１４０に適宜展開された直近交換部品検索プログラムと制御部１１０との協働により、実行される。直近交換部品検索プログラムは、常時周期的に実行されてもよい。なお、本変形例では上記実施の形態と同様に、初めに交換タイミングテーブル記憶処理が行われているものとするが、同様の動作の為説明を省略する。
【００６７】
今、画像形成部１０等によりプリントが行われると、部品交換タイミングテーブル５１における各交換部品に設置されたタグに記憶されている現在の各交換部品の使用回数（プリント枚数）が取得される。次に、部品交換タイミングテーブル５１と、予め不揮発メモリ１５０に記憶されている各部品の交換タイミングを示す使用回数のメーカー基準値であるｘと、を基に、各部品の交換タイミングを示す使用回数の閾値が算出される。その後、各交換部品の使用回数（プリント枚数）と、各部品の交換タイミングを示す使用回数の閾値と、が比較され、交換タイミング到達部品があるか否かが判定される（ステップＳ７０１）。交換タイミング到達部品がない場合（ステップＳ７０１；ＮＯ）、直近交換部品検索処理が終了する。交換タイミング到達部品がある場合（ステップＳ７０１；ＹＥＳ）、直近交換部品検索機能が有効か否かが判定される（ステップＳ７０２）。
【００６８】
直近交換部品検索機能が有効な場合（ステップＳ７０２；ＹＥＳ）、直近範囲指定に従い直近交換部品が検索され（ステップＳ７０３）、その後、交換対象部品が決定される（ステップＳ７０４）。ステップＳ７０３において、直近交換部品がある場合は、ステップＳ７０４において決定される交換対象部品に直近交換部品も含まれる。直近交換部品検索機能が無効な場合も（ステップＳ７０２；ＮＯ）、ステップＳ７０４に移行される。この場合は、直近交換部品があった場合でも直近交換部品検索機能が無効な為、ステップＳ７０４において決定される交換対象部品に直近交換部品は含まれない。その後、ＬＣＤ６１にステップＳ７０５で決定された交換対象部品が表示され（ステップＳ７０５）、直近交換部品検索処理が終了する。交換対象部品がある場合、ユーザーは、ステップＳ７０５でＬＣＤ６１に表示された交換対象部品を交換する。
【００６９】
以上、本変形例によれば、予めユーザーによって選択されたモードに対応した交換タイミングテーブルが、交換タイミングテーブル記憶処理により不揮発メモリ１５０に記憶され、プリントが行われるごとに、記憶されている交換タイミングテーブルに対して交換タイミング到達部品があるか否かが判定される。そして、交換タイミング到達部品がある場合は、直近交換部品検索機能が有効か否かが判定され、有効に設定されていて且つ直近交換部品がある場合は、交換タイミング到達部品と併せて直近交換部品についても交換を促すメッセージがＬＣＤ６１に表示される。この為、上記実施の形態と同様にユーザーの要求に応じた判定基準による部品の交換ができ、また、交換タイミング到達部品と直近交換部品をまとめて交換することが可能となる。
【００７０】
（第２の変形例）
次に、第２の変形例について説明する。変形例として、ユーザーレベルに応じた部品交換確認処理について説明する。説明の前提として、図１０にユーザーＩＤとユーザーレベルの関係を表す認証データ格納テーブル５４を示す。まず、ユーザーによる操作表示部６０におけるＬＣＤ６１へのタッチ入力により、ユーザーＩＤとユーザーレベルの対応付けのパラメータが操作入力される。その後、ユーザーＩＤとユーザーレベルが関連付けられた認証データ格納テーブル５４が生成され、不揮発メモリ１５０に記憶される。図９にユーザーレベルと交換対象となる部品との関係を表す部品交換許可テーブル５２を示す。部品交換許可テーブル５２は、ユーザーレベルごとに交換が許可された部品の識別情報を含み、不揮発メモリ１５０に記憶されている。装置構成は、上記実施の形態と同様に、カラー複写機１で説明する。但し、部品交換確認プログラムにかえてユーザーレベルに応じた部品交換確認プログラムが、プログラムメモリ１３０に記憶されているものとする。
【００７１】
以下、図８のフローチャートを参照し、ユーザーレベルに応じた部品交換確認処理について説明する。ユーザーレベルに応じた部品交換確認処理は、画像形成部１０等によりプリントが行われた事をトリガとして、プログラムメモリ１３０から読み出されてシステムメモリ１４０に適宜展開されたユーザーレベルに応じた部品交換確認プログラムと制御部１１０との協働により、実行される。ユーザーレベルに応じた部品交換確認プログラムは、常時周期的に実行されてもよい。なお、本変形例では上記実施の形態と同様に、初めに交換タイミングテーブル記憶処理が行われているものとするが、同様の動作の為説明を省略する。
【００７２】
今、画像形成部１０等によりプリントが行われると、部品交換タイミングテーブル５１における各交換部品に設置されたタグに記憶されている現在の各交換部品の使用回数（プリント枚数）が取得される。次に、部品交換タイミングテーブル５１と、予め不揮発メモリ１５０に記憶されている各部品の交換タイミングを示す使用回数のメーカー基準値であるｘと、を基に、各部品の交換タイミングを示す使用回数の閾値が算出される。その後、各交換部品の使用回数（プリント枚数）と、各部品の交換タイミングを示す使用回数の閾値と、が比較され、交換タイミング到達部品があるか否かが確認される（ステップＳ８０１）。交換タイミング到達部品がない場合（ステップＳ８０１；ＮＯ）、ユーザーレベルに応じた部品交換確認処理が終了する。交換タイミング到達部品がある場合（ステップＳ８０１；ＹＥＳ）、図示しないＬＣＤ６１に認証画面が表示され、ユーザーにより操作表示部６０の各種キー、またはＬＣＤを介してユーザーＩＤ、パスワードが入力され、入力されたユーザーＩＤ、パスワードに基づいて認証が行われる（ステップＳ８０２）。
【００７３】
その後、認証データ格納テーブル５４において、ステップＳ８０２で認証されたユーザーＩＤに対応するユーザーレベルが参照され、ユーザーレベル１が選択されているか否かが判定される（ステップＳ８０３）。選択されている場合は（ステップＳ８０３；ＹＥＳ）、部品交換許可テーブル５２が参照され、ユーザーレベル１の交換対象部品に該当しているステップＳ８０１で特定された交換タイミング到達部品について、ＬＣＤ６１に交換を促すメッセージが表示され（ステップＳ８０４）、ユーザーレベルに応じた部品交換確認処理が終了する。
【００７４】
ユーザーレベル１が選択されていない場合（ステップＳ８０３；ＮＯ）、ユーザーレベル２が選択されているか否かが判定される（ステップＳ８０５）。選択されている場合は（ステップＳ８０５；ＹＥＳ）、部品交換許可テーブル５２が参照され、ユーザーレベル２の交換対象部品に該当しているステップＳ８０１で特定された交換タイミング到達部品について、ＬＣＤ６１に交換を促すメッセージが表示され（ステップＳ８０６）、ユーザーレベルに応じた部品交換確認処理が終了する。選択されていない場合（ステップＳ８０５；ＮＯ）、ユーザーレベル３が決定し（ステップＳ８０７）、部品交換許可テーブル５２が参照され、ユーザーレベル３の交換対象部品に該当しているステップＳ８０１で特定された交換タイミング到達部品について、ＬＣＤ６１に交換を促すメッセージが表示され（ステップＳ８０８）、ユーザーレベルに応じた部品交換確認処理が終了する。ユーザーは、ステップＳ８０４、ステップＳ８０６又はステップＳ８０８でＬＣＤ６１に表示された、自分のユーザーレベルに応じて許可された交換対象部品を交換する。
【００７５】
以上、本変形例によれば、予めユーザーによって選択されたモードに対応した交換タイミングテーブルが、交換タイミングテーブル記憶処理により不揮発メモリ１５０に記憶され、プリントが行われるごとに記憶されている交換タイミングテーブルに対して交換タイミング到達部品があるか否かが判定される。そして、交換タイミング到達部品がある場合は、ユーザー認証が実施され、認証されたユーザーレベルに応じた交換対象部品に該当している交換タイミング到達部品について、ＬＣＤ６１に交換を促すメッセージが表示される。この為、上記実施の形態と同様にユーザーの要求に応じた判定基準による部品の交換ができ、また、ユーザーレベルごとに交換が許可された交換対象となる部品の交換を促すことが可能となる。
【００７６】
なお、本実施の形態は本発明の好適な一例であり、これに限定されない。例えば、本実施の形態においてはタグ１１〜１６を交換部品ごとに設置したが、例えば現像剤、帯電極、感光体、クリーニングブレードなどからなる各ユニットごとにタグを設置する事も可能である。ここで、ユニットとは、少なくとも１つの交換部品を含む構成単位であり、ユニットに含まれる全ての交換部品がまとめて交換される。また、本実施の形態において各モードの設定は画質、耐久性の観点からなされているが、例えば交換部品または該交換部品からなるユニットのメンテナンス時にかかるコストの観点から設定されることも可能である。例えば、同じ部品でも使用回数の閾値を大きくすれば、長く使い続けるのでコスト削減になる。
【００７７】
また、交換部品の使用回数の取得にはタグ１１〜１６を用いたが、交換部品の使用履歴情報を取得する機能があるものであればよく、その設置箇所も、画像形成装置の使用に伴い交換が必要とされる部品ならば、特に限定されない。また、本実施の形態においては交換部品の使用回数を使用履歴情報としたが、使用履歴情報は使用回数のみに限定されず、例えばトナーなどの残り容量を使用履歴情報として考えてもよい。
【００７８】
また、部品交換や各種設定の際など、ユーザーへのメッセージは外部装置８５など外部機器に表示することも可能であり、カラー複写機１のＬＣＤ６１に限定されない。また、本実施の形態ではユーザーへメッセージを伝える際、ＬＣＤ６１上に表示される文字を使用しているが、例えば音声など、メッセージを伝える事ができる機能があるものであれば文字のみに限定されない。図１１に示すカラー複写機１と外部装置８５接続の概念図のように、カラー複写機１を外部装置に接続し、サービスマンに部品交換が必要な旨を伝える事も可能である。部品交換タイミングテーブル５１に示す部品の交換タイミングのデータを外部装置に格納したり、外部装置側でデータを変更する事も可能である。
【００７９】
また、モード選択、ユーザー認証、ユーザーレベルの選択操作など、ユーザーによる操作入力が必要な場合もＬＣＤ６１に限らず、例えば外部装置８５より操作入力されることも可能である。
【００８０】
また、図１１に示すカラー複写機１と外部装置８５接続の概念図においては、カラー複写機１と外部装置８５はそれぞれ１台ずつ接続されているが、外部装置８５、カラー複写機１の接続される数は特に限定されず、複数の機器を接続してシステムを形成することも可能である。また、本実施の形態では画像形成装置としてカラー複写機１を例に挙げたが、白黒のプリント機能があるものであれば特に限定されない。
【００８１】
また、製本装置などの交換部品にも、上記実施の形態や変形例の構成を適用する事としてもよい。
【図面の簡単な説明】
【００８２】
【図１】カラー複写機の全体構成図である。
【図２】カラー複写機の要部構成を示すブロック図である。
【図３】交換タイミングテーブル記憶処理を示すフローチャートである。
【図４】モード選択画面を示す図である。
【図５】部品交換タイミングテーブルを示す図である。
【図６】部品交換確認処理を示すフローチャートである。
【図７】直近交換部品検索処理を示すフローチャートである。
【図８】ユーザーレベルに応じた部品交換確認処理を示すフローチャートである。
【図９】部品交換許可テーブルを示す図である。
【図１０】認証データ格納テーブルを示す図である。
【図１１】カラー複写機と外部装置接続の概念図である。
【符号の説明】
【００８３】
１  カラー複写機
１Ｙ、１Ｍ、１Ｃ、１Ｋ  露光ユニット
２Ｙ、２Ｍ、２Ｃ、２Ｋ  感光体ドラム
３Ｙ、３Ｍ、３Ｃ、３Ｋ  現像装置
４Ｙ、４Ｍ、４Ｃ、４Ｋ  像形成体クリーニング部
５Ｙ、５Ｍ、５Ｃ、５Ｋ  帯電極
１０、１０Ｙ、１０Ｍ、１０Ｃ、１０Ｋ  画像形成部
１１〜１６  タグ
２０ 転写部
２０Ｂ  中間転写ベルト
２０Ｙ、２０Ｍ、２０Ｃ、２０Ｋ  １次転写ローラ
２０Ｓ  ２次転写ローラ
２１  ＡＤＦ制御部
２２  ＡＤＦ
２３  ＣＣＤ
２４  画像読取制御部
２７  スキャナ部
３０ 定着装置
３０Ａ  定着ベルト
４０  給紙搬送部
４０Ａ  循環通紙路
４０Ｂ  反転搬送路
４０Ｃ  再給紙搬送部
５０  給紙ローラ
６０  操作表示部
６１  ＬＣＤ
６２  操作部制御部
７０  プリンタ部
７１  プリンタ制御部
８０  プリントコントローラ部
８５  外部装置
９０  後処理ユニット
９１  後処理装置制御部
１００ 本体制御部
１１０ 制御部
１３０ プログラムメモリ
１４０ システムメモリ
１５０ 不揮発メモリ
１６０ 読取処理部
１７０  圧縮・伸長ＩＣ
１８０  ＤＲＡＭ制御ＩＣ
１９０ 画像メモリ
１９１ 圧縮メモリ
１９２ ページメモリ
２００ 書込処理部
２１０  ＲＦＩＤ制御部
２１１〜２１６  アンテナ駆動回路
２１７  サブ制御部
３１１〜３１６  ＲＦＩＤアンテナ部
Ｐ  記録紙
ｇ  原稿
【図１】
2009169003.tif 000003
【図２】
2009169003.tif 000004
【図３】
2009169003.tif 000005
【図４】
2009169003.tif 000006
【図５】
2009169003.tif 000007
【図６】
2009169003.tif 000008
【図７】
2009169003.tif 000009
【図８】
2009169003.tif 000010
【図９】
2009169003.tif 000011
【図１０】
2009169003.tif 000012
【図１１】
2009169003.tif 000013